(57)【要約】  本発明は、対称的な解剖学的構造を表示領域内に表示するための方法に関する。この方法は、表示領域に基づいて対称的な解剖学的構造のズーム係数を自動的に計算すること、表示領域に基づいて対称的な解剖学的構造のパニング位置を自動的に計算すること、及び表示領域内に、計算されたズーム係数及びパニング位置に応じて対称的な解剖学的構造を表示すること、を有する。本発明はまた、システム、このシステムを有する医療画像形成ワークステーション、及び本発明による方法を行うために構成されたコンピュータプログラム製品にも関する。
2010525858.tif 000002
【特許請求の範囲】
【請求項１】
表示領域内に対称的な解剖学的構造を表示する方法であって、
・前記表示領域に基づいて前記対称的な解剖学的構造のズーム係数を自動的に計算すること、
・前記表示領域に基づいて前記対称的な解剖学的構造のパニング位置を自動的に計算すること、及び
・前記表示領域内に、当該計算されたズーム係数及びパニング位置に応じて前記対称的な解剖学的構造を表示すること、
を有する方法。
【請求項２】
請求項１に記載の方法であって、前記対称的な解剖学的構造は、スライスのスタックを有する３Ｄ体積データセット内に含まれ、前記スライスのスタックのスライス毎に前記ズーム係数及び前記パニング位置を自動的に計算することを有する方法。
【請求項３】
請求項１に記載の方法であって、前記対称的な解剖学的構造は、互いに略対称的な少なくとも２つの基礎構造を有し、当該方法は、
・少なくとも２つの基礎構造毎に個別に前記ズーム係数及び前記パニング位置を自動的に計算すること、及び
・それぞれの計算されたズーム係数及びパニング位置に応じて前記少なくとも２つの基礎構造を個別に表示すること、
を有する、方法。
【請求項４】
請求項１ないし３のうちいずれか１つに記載の方法であって、前記ズーム係数及び前記パニング位置は、データベース内の対称的な解剖学的構造のインポートの間において自動的に計算される、方法。
【請求項５】
請求項１ないし３のうちいずれか１つに記載の方法であって、前記対称的な解剖学的構造及び／又は基礎構造は、ユーザインターフェースにより自動的に起動させられる、方法。
【請求項６】
対称的な解剖学的構造を表示領域内に表示するためのシステムであって、
・計算器であって、
＊前記表示領域に基づいて前記対称的な解剖学的構造のズーム係数を自動的に計算すること、及び
＊前記表示領域に基づいて前記対称的な解剖学的構造のパニング位置を自動的に計算すること、
を行う計算器と、
・表示器であって、
＊前記表示領域内に、当該計算されたズーム係数及びパニング位置に応じて前記対称的な解剖学的構造を表示すること、
を行う表示器と、
を有するシステム。
【請求項７】
請求項６に記載のシステムであって、前記対称的な解剖学的構造は、スライスのスタックを有する３Ｄ体積データセット内に含まれ、前記計算器は、さらに、前記スライスのスタックのスライス毎に前記ズーム係数及びパニング位置を自動的に計算する、システム。
【請求項８】
請求項６に記載のシステムであって、前記対称的な解剖学的構造は、互いに略対称的な少なくとも２つの基礎構造を有し、前記計算器は、さらに、少なくとも２つの基礎構造毎に個別に前記ズーム係数及びパニング位置を自動的に計算し、前記表示器は、さらに、それぞれの計算されたズーム係数及びパニング位置に応じて前記少なくとも２つの基礎構造を個別に表示する、システム。
【請求項９】
請求項６ないし９のうちいずれか１つに記載のシステムであって、データベース内の前記対称的な解剖学的構造のインポートにおいて前記ズーム係数又は前記パニング位置を自動的に計算するインポータをさらに有するシステム。
【請求項１０】
請求項６ないし９のうちいずれか１つに記載のシステムであって、対称的な解剖学的構造及び／又は基礎構造を表示することを自動的に起動するためのユーザインターフェースをさらに有するシステム。
【請求項１１】
請求項６ないし１０のうちいずれか１つに記載のシステムを有する医療画像形成ワークステーション。
【請求項１２】
表示領域内に対称的な解剖学的構造を表示するための命令を有する、コンピュータ装置によりロードされるコンピュータプログラム製品であって、前記コンピュータ装置は、処理ユニット及びメモリを有し、当該コンピュータプログラム製品は、ロードされた後、前記処理ユニットに、
・前記表示領域に基づいて前記対称的な解剖学的構造のズーム係数を自動的に計算するタスク、
・前記表示領域に基づいて前記対称的な解剖学的構造のパニング位置を自動的に計算するタスク、及び
・前記表示領域内に、当該計算されたズーム係数及びパニング位置に応じて前記対称的な解剖学的構造を表示するタスク、
を実行するための機能を供給する、
製品。
【発明の詳細な説明】
【技術分野】
【０００１】
本発明は、表示領域内に対称な解剖学的構造を表示するための方法に関する。
【０００２】
本発明はさらに、対称な解剖学的構造を表示領域内に表示するシステムに関する。
【０００３】
また、本発明は、このようなシステムを有する医療画像形成ワークステーションに関する。
【０００４】
さらに、本発明は、コンピュータ装置によりロードされることになるコンピュータプログラム製品であって、表示領域内に対称な解剖学的構造を表示するための命令を有するものに関する。
【背景技術】
【０００５】
このような方法及びシステムの実施例は、論文の「M. P. Revel, D. Petrover, A. Hernigou, C. Lefort, G. Meyer, G. Frija, Diagnosing Pulmonary Embolism with Four-Detector Row Helical CT: Prospective Evaluation of 216 Outpatients and Inpatients, Radiology, 234: 265-273, 2005」から知られている。この論文は、コンピュータ断層撮影（ＣＴ）画像データセットにおける肺実質及び脈管構造の解析を開示している。視覚化のため、ユーザは、当該画像とのパニング対話動作及びズーム対話動作を個別に実質組織毎に当該「視野」（ＦＯＶ；Field of View）を選択しなければならない。これは、画像データセットを構成する画像スライスのスタック内の各スライスにつき行われなければならない。ＦＯＶはまた、通常、放射線専門医などのユーザが１つの視界内で同時に両方の実質組織を見たいときにも選択される必要がある。
【０００６】
肺実質は、人の体内で対称的な解剖学的構造の例である。他の例は、例えば、磁気共鳴（ＭＲ）末梢血管造影法の検討を通じて視覚化された脚及びその脈管構造である。さらにもう１つの例は、例えばＭＲ頸動脈血管造影法の検討により視覚化された頭部及びその血管構造、又は例えばＭＲ胸部検討の最大強度投影（ＭＩＰ）により視覚化された女性の胸である。
【０００７】
適切なＦＯＶを判定することは、診断を決定するための関心領域において非常に細かい部分を確認することに注意を払う放射線専門医にとって重要である。したがって、正しいＦＯＶは、放射線専門医の検討に対する読取時間を短くすることができ、これにより、医療施設内の作業の流れを支援するものである。
【発明の概要】
【発明が解決しようとする課題】
【０００８】
本発明の目的は、冒頭の段落による方法、システム、医療画像形成ワークステーション及びコンピュータプログラム製品であって、改善された態様でＦＯＶを判定するものを提供することである。
【課題を解決するための手段】
【０００９】
この目的を達成するため、表示領域内に対称的な解剖学的構造を表示する方法は、・前記表示領域に基づいて前記対称的な解剖学的構造のズーム係数を自動的に計算すること、・前記表示領域に基づいて前記対称的な解剖学的構造のパニング位置を自動的に計算すること、及び・前記表示領域内に、当該計算されたズーム係数及びパニング位置に応じて前記対称的な解剖学的構造を表示すること、を有する。当該ズーム係数及びパニング位置に基づいてＦＯＶを自動的に計算することにより、対称的な解剖学的構造は、ユーザの対話動作を必要とすることなく表示される。このようにして、放射線専門医は、関心領域における必要な細部を有する解剖学的構造を検討することができる。放射線専門医は、ＦＯＶを判定するようズーム及びパンニングを手動で行う必要がないので、対称的な解剖学的構造毎の読取時間が短くなる。したがって、放射線専門医の仕事の流れは改善する。
【００１０】
本発明による方法の実施例において、前記対称的な解剖学的構造は、スライスのスタックを有する３Ｄ体積データセット内に含まれ、前記スライスのスタックのスライス毎に前記ズーム係数及び前記パニング位置を自動的に計算することを有する。スライス毎にＦＯＶを自動的に計算することによって、ユーザは、当該スライスのスタックを迅速に検索し関心領域における必要な細部とともに各スライスを検討することができる。スライス毎にＦＯＶを手動で調整する必要がないので、ユーザの対話動作が最小限となり、体積データセット毎の読取時間が短くなり、放射線専門医などのユーザの作業の流れが改善される。
【００１１】
本発明による方法の他の実施例において、前記対称的な解剖学的構造は、互いに略対称的な少なくとも２つの基礎構造を有し、当該方法は、・少なくとも２つの基礎構造毎に個別に前記ズーム係数及び前記パニング位置を自動的に計算すること、及び・それぞれの計算されたズーム係数及びパニング位置に応じて前記少なくとも２つの基礎構造を個別に表示すること、を有する。基礎構造は、例えば肺の２つの実質組織又は女性の胸の２つの乳房である。基礎構造毎のＦＯＶを自動的に計算することによって、ユーザは、同じ対称的な解剖学的構造の異なる視界の間を容易に行き来することができる。ＦＯＶは、基礎構造毎に手動で判定させられる必要はなく、仕事の流れをさらに改善する。
【００１２】
本発明による方法の他の実施例において、前記ズーム係数及び前記パニング位置は、データベース内の対称的な解剖学的構造のインポートの間において計算される。当該構造のインポートの間にＦＯＶを計算することによって、当該構造は、より速く表示させられる。これにより、より一層、検討にかかる読取時間が改善する。
【００１３】
本発明による方法の他の実施例において、前記対称的な解剖学的構造及び／又は基礎構造は、ユーザインターフェースにより自動的に起動させられる。当該自動的に計算されたＦＯＶを当該構造を表示するための専用のユーザインターフェースに設けることによって、ユーザは、ＦＯＶをいつ表示するか及びこのＦＯＶによりどの構造を表示するかすなわち全体の構造又は基礎的構造を表示するかの主導権を持つ。
【００１４】
さらに上記目的を達成するため、対称的な解剖学的構造を表示領域内に表示するためのシステムは、・計算器であって、＊前記表示領域に基づいて前記対称的な解剖学的構造のズーム係数を自動的に計算すること、及び＊前記表示領域に基づいて前記対称的な解剖学的構造のパニング位置を自動的に計算すること、を行う計算器と、・表示器であって、＊前記表示領域内に、当該計算されたズーム係数及びパニング位置に応じて前記対称的な解剖学的構造を表示すること、を行う表示器と、を有するシステムである。
【００１５】
本発明によるシステムの実施例は、請求項７ないし１０に記述されている。
【００１６】
さらに上記目的を達成するため、医療画像形成ワークステーションは、請求項６ないし１０のいずれかに記載のシステムを有する。
【００１７】
さらに上記目的を達成するため、表示領域内に対称的な解剖学的構造を表示するための命令を有する、コンピュータ装置によりロードされるコンピュータプログラム製品であって、前記コンピュータ装置は、処理ユニット及びメモリを有し、当該コンピュータプログラム製品は、ロードされた後、前記処理ユニットに、・前記表示領域に基づいて前記対称的な解剖学的構造のズーム係数を自動的に計算するタスク、・前記表示領域に基づいて前記対称的な解剖学的構造のパニング位置を自動的に計算するタスク、及び・前記表示領域内に、当該計算されたズーム係数及びパニング位置に応じて前記対称的な解剖学的構造を表示するタスク、を実行するための機能を供給する、製品としている。
【００１８】
本発明による方法に関して述べたように、本発明によるシステム、医療画像形成ワークステーション及びコンピュータプログラム製品により同じ効果が発揮される。
【００１９】
本発明のこれらの態様及びその他の態様は、次の図面により図示されるように以下に説明される実施例について明らかとなる。
【図面の簡単な説明】
【００２０】
【図１】対称的構造の例を示す図。
【図２】本発明による方法を概略的に示す図。
【図３】２Ｄスライスのスタックとして分割された肺実質を概略的に示す図。
【図４】２進の体積データセットにおけるｘ位置の関数として分割されたボクセルの数のヒストグラムを示す図。
【図５】計算されたオブジェクトパラメータからパニング及びズームパラメータへの変換を示す図。
【図６】ＭＲ胸部検討のためのヒストグラム。
【図７ａ】受信データセットの例を示す図。
【図７ｂ】両方の肺に対し最適化されたＦＯＶを示す図。
【図７ｃ】右の肺に対し最適化されたＦＯＶを示す図。
【図７ｄ】左の肺に対し最適化されたＦＯＶを示す図。
【図８】本発明による方法を起動するためのユーザインターフェースを示す図。
【図９】本発明によるシステムを概略的に示す図。
【発明を実施するための形態】
【００２１】
図１は、対称的構造の例を示している。第１の対称的構造１０２は、磁気共鳴（ＭＲ）血管造影法の検討の最大強度投影（ＭＩＰ）により視覚化されることのできる脚の動脈である。第２の対称的構造１０４は、ＭＲ頸動脈血管造影法の検討のＳＶＲ（Shaded Volume Rendering）により視覚化可能な頸動脈である。第３の対称的構造１０６は、ＭＲ胸部検討のＭＩＰにより視覚化可能な女性の胸である。第４の構造１０８は、コンピュータ断層撮影（ＣＴ）胸郭検討により視覚化されることのできる肺である。本発明は、対称的な構造のこれらの例に適用可能である。但し、本発明は、ＭＲイメージング装置、ＣＴイメージング装置、慣例的Ｘ線画像形成装置などの医療用取込装置により当該対称的構造の画像を得ることにより視覚化される体の中の他の対称的構造にも適用可能である。
【００２２】
図２は、本発明による方法を概略的に示している。ステップ２０２は、画像が受信される初期化ステップである。例えば、ＣＴ胸郭検討が受け付けられる。これは、２Ｄ画像のスライスからなる３Ｄ体積画像セットである。肺実質は、例えば文献のT. Bulow, R. Wiemker, T. Blaffert, C. Lorenz, S. Renisch, Automatic Extraction of the Pulmonary Artery Tree from Multi-Slice CT Data, SPIE, 5746: 730-740, 2005に記述されるような方法を用いることによってこの体積画像セットから分割される。これは、いわゆる２進体積データセットとなるものであり、当該実質組織に寄与するボクセルが１に等しい値を有し、当該実質組織に寄与しないボクセルが０に等しい値を有するものとなる。これは、図３に、２Ｄスライス３０４，３０６，２０８，３１０及び３１２のスタック３０２として概略的に視覚化されている。
【００２３】
次のステップ２０４では、全ての実質組織、すなわち１の値を持つボクセルを含むｘ及びｙ次元（ｘｍｉｎ，ｘｍａｘ，ｙｍｉｎ，ｙｍａｘ）の分割境界は、当該２進体積データセットから判定される。これは、ｘ及びｙの境界付けボックスとも呼ばれる。
【００２４】
右の肺か又は左の肺に対して視野（ＦＯＶ）を設定するため、２進体積データセットは、両方の肺の間にある分離位置を判定するよう処理される。この分離位置ｘｓを判定するため、肺プロファイルは、最初にｘ方向において当該２進体積データセットにわたって進み、次にｘ位置毎に、各対応するｙｚスライスをとりかつ分割されたボクセルすなわちこのスライスにおいて１の値を持つボクセルの数を数えることによって復元される。その結果は、図４に示されるようなグラフとなり、これが２進体積データセットにおけるｘ位置の関数として分割されたボクセルの数のヒストグラムを示している。このヒストグラムは、プロファイルｐの４０２を示している。分離位置ｘｓは、２つのピーク間に定められ、各ピークは、肺の一方に対応する。ピークからの分離位置ｘｓの計算は、ステップ２０６において行われる。ここで、プロファイルｐは、次のように規定される平均化フィルタにより平滑化される。
【数１】
2010525858.tif 000003
【００２５】
ここで、ｎは、平均化フィルタのサイズである。次に、当該プロファイルの一次導関数は次の式により計算される。
【数２】
2010525858.tif 000004
【００２６】
当該プロファイルの導関数から、全てのゼロクロスｚｃが判定され、次の条件を満たす全てのポイントとなる。
【数３】
2010525858.tif 000005
【００２７】
最後に、最も中心寄りのゼロクロスｚｃは、分離位置ｘｓの４０４として認められる。
【００２８】
同じ技術は、２Ｄにも適用可能である。これは、当該パラメータ（ｘｍｉｎ，ｘｍａｘ，ｘｓ，ｙｍｉｎ，ｙｍａｘ）が分離スライス毎に計算されることを意味している。与えられた分割スライス３０４に対し、（ｘｍｉｎ，ｘｍａｘ，ｙｍｉｎ，ｙｍａｘ）は、ｘ及びｙにおける分割境界をとって計算される。当該プロファイルは、ｘ毎にｙ方向におけるボクセルの数を数えることによって発生される。この後、３Ｄの場合におけものと同じ分離位置ｘｓの計算が適用可能である。
【００２９】
ステップ２０８では、（ｘ，ｙ）パニング位置及び（ｘ，ｙ）ズーム係数の計算が、結果として得られる分離位置ｘｓからのスライス毎に始まる。所与のスライスに対する（ｘｍｉｎ，ｘｍａｘ，ｘｓ，ｙｍｉｎ，ｙｍａｘ）の計算後の値（３Ｄか又は２Ｄによるもの）の場合、サイズ（Ｌｘ，Ｌｙ）を持つディスプレイに実質組織を合わせるようパニング及びズーム係数を計算する。このことは、図５に示されており、次のようにして計算される。最初に、各係数についての原点が計算される。両方の実質組織に対して、原点は、
【数４】
2010525858.tif 000006
に設定される。
【００３０】
左の実質組織に対して、原点は、
【数５】
2010525858.tif 000007
に設定される。
【００３１】
右の実質組織に対して、原点は、
【数６】
2010525858.tif 000008
に設定される。
【００３２】
原点を設定した後、オブジェクトの寸法ｏｘ及びｏｙは、オブジェクト全体を表示しながら可能な限り大きくズームするように、当該表示領域の範囲に計算されなければならない。これら個々のケースに対して、ｘのオブジェクト寸法は、次のように規定される。
両方の実質組織に対しては、
ｏｘ，ｂｏｔｈ＝ｘｍａｘ−ｘｍｉｎ
左の実質組織に対しては、
ｏｘ，ｌｅｆｔ＝ｘｓ−ｘｍｉｎ
そして右の実質組織に対しては、
ｏｘ，ｒｉｇｈｔ＝ｘｍａｘ−ｘｓ
である。
【００３３】
ｙのオブジェクトサイズは、
ｏｙ＝ｙｍａｘ−ｙｍｉｎ
と定義される。
【００３４】
オブジェクトサイズから表示範囲への変換法は、次のように表示のアスペクト比に対処しなければならない。さらに、ステップ２０８においてはＬｘ＝Ｌｙ？がチェックされる。
【００３５】
ｘ及びｙ方向の表示サイズが互いに等しい場合、ｘ方向のExtend（伸長）を、ｘ方向の原点及びｙ方向の原点のうちの最大値に等しいｙ方向のExtendに等しくなるように設定することにより、ステップ２１０において各Extendが計算される。すなわち、
Ｅｘｔｅｎｄｘ＝Ｅｘｔｅｎｄｙ＝ｍａｘ（ｏｘ，ｏｙ）
である。
【００３６】
ステップ２１２では、ｘ方向のExtendがｙ方向のExtendよりも大きいかどうか、すなわちＬｘ＞Ｌｙ？がチェックされる。これが肯定の場合、ステップ２１４では、ｘ方向における原点がｙ方向における原点よりも大きいか、すなわちｏｘ＞ｏｙ？がチェックされる。これが肯定の場合、ステップ２１６では、ｘ方向の原点がｘ方向の表示サイズよりも大きいか、すなわちｏｘ＞Ｌｘ？がチェックされる。これが肯定である場合、Extendは、ｘ方向のExtendをｘ方向の原点に等しく設定し、ｙ方向のExtendを、ｘ方向の表示サイズとｘ方向の原点との乗算結果で除算されたｙ方向の表示サイズに等しく設定することによって、ステップ２１８において計算される。すなわち、
Ｅｘｔｅｎｄｘ＝ｏｘ
Ｅｘｔｅｎｄｙ＝Ｌｙ／Ｌｘｏｘ
である。
【００３７】
ステップ２１６又はステップ２１４が否定であれば、Extendは、ｘ方向のExtendを、ｙ方向の表示サイズでｘ方向の表示サイズを除算した結果に等しく設定し、その結果とｙ方向の原点とを乗算することによって、ステップ２２０において計算される。そしてこのｙ方向のExtendは、ｙ方向の原点に等しい。すなわち、
Ｅｘｔｅｎｄｘ＝（Ｌｘ／Ｌｙ）ｏｙ
Ｅｘｔｅｎｄｙ＝ｏｙ
である。
【００３８】
ステップ２１２が否定であれば、ｘ方向のExtendは、ｙ方向のExtendよりも小さい、すなわち、Ｌｘ＜Ｌｙである。そしてステップ２２２において、ｘ方向の原点がｙ方向の原点よりも大きいか、すなわちｏｘ＞ｏｙ？がチェックされる。これが肯定であればステップ２１９が行われる。ステップ２２２が否定であれば、ステップ２２４においてｙ方向の原点がｙ方向の表示サイズよりも大きいか、すなわちｏｙ＞Ｌｙ？がチェックされる。これが肯定であれば、ステップ２２０が行われる。ステップ２２４が否定であれば、ステップ２１８が行われる。Extendはズーム係数を決め、原点は、パニング位置を決め、本方法は、ステップ２２６で終了し、これに相応してスライスが示される。
【００３９】
このようにして、ズーム係数及びパニング位置がスライス毎に計算される。ここでユーザがそのスライスの集合を検索することを望むとき、各スライスが自動的にズームされパニングされ、当該検討の高速読取が可能となる。
【００４０】
本発明は、説明した例に限定されるものではない。例えば、図６に示されるような胸部ＭＲデータセットにも適用可能である。図６は、例えば、胸部ＭＲデータセット６０２及び６０４のために得られるようなプロファイル６０６及び分離位置６０８を示している。各胸の分割を伴う２進体積の場合、本発明が適用可能である。対称的な解剖学的構造を含むデータセットの標準表示のために必要なユーザ対話動作の軽減が良好に達成される。また、本発明によるこの方法を用いれば、対話動作時間が短くなる。視認可能なスライスだけでなく、視認不可能なスライスに対しても適切に、ズーム係数及びパニング位置が設定される。ＦＯＶが片方又は両方の肺における表示に対して設定された後に、残された対話動作は軸方向スライスを通じてスクロールすることだけである。幾つかの計算コストがＦＯＶを判定するために必要であるが、このことは、ユーザの仕事の流れに悪い影響を及ぼさない。何故なら、全てのＦＯＶは、データがデータベースにインポートされた時点で事前に計算されることが可能であるからである。
【００４１】
本発明の出願前における受信データセットの例は、図７ａに示される。図７ｂは、両方の肺に対して結果として得られる３ＤによるＦＯＶを示している。図７ｃは、右の肺の結果として得られるＦＯＶを示し、図７ｄは、左の肺の結果として得られるＦＯＶを示している。図７ｂないし図７ｄに示されるように、ＦＯＶは、当該肺が表示領域全体をカバーするように設定される。
【００４２】
本方法は、分割の後に２つの２進オブジェクトにより表わされることのできる全ての解剖学的構造に適用可能である。
【００４３】
提案の方法は、３つのプリセットのうちの１つにＦＯＶを設定するためにボタンを用いて実現可能である。図８には、一例のユーザインターフェース８００が示される。それらの目的をグラフィックに表すボタンアイコン８０２，８０４及び８０６を用いて、ユーザは、複雑な表示対話動作を伴うことなく全ての３つのＦＯＶの間の簡単な切り換えをなすことができる。例えば、アイコン８０２を押すと、フィールド８０８において両方の肺をカバーするＦＯＶが表示されることになる。アイコン８０４を押すと、左の肺をカバーするＦＯＶが表示され、アイコン８０６を押すと右の肺をカバーするＦＯＶが表示されることになる。図９は、本発明によるシステムを概略的に示している。システム９００は、本発明による方法を行うよう構成されたコンピュータ読取可能なソフトウェアを有するメモリ９０２を有する。システム９００はさらに、ソフトウェアバス９０６を介してメモリ９０２に動作可能に接続される中央処理ユニット（ｃｐｕ）９０４を有する。ｃｐｕ１００４は、本発明による方法を実行するための必要な計算を行う。その結果は、表示バッファ１００８に転送され、このバッファは、表示装置９１０に動作可能に接続される。本発明による方法が行われるところのデータは、ＣＴスキャナなどの医療取込装置９１４に接続されるデータベース９１２から検索される。検査対象の人からＣＴスキャナ９１４により得られるデータは、データベース９１２に送られる。本発明による方法は、このインポートの間又は例えばディスプレイ９１０によるユーザ対話動作により起動されるようにすることができる。
【００４４】
なお、上述した実施例は、本発明を限定するというよりも例示するものであり、当業者であれば、添付の請求項の範囲を逸脱することなく数多くの代替え実施例を構成することができる筈である。請求項において、括弧内に付される参照符号はその請求項を限定するものと解釈してはならない。「有する」なる文言は、請求項に挙げられたもの以外の要素又はステップの存在を排除しない。要素の単数表現は、そのような要素の複数の存在を排除しない。本発明は、複数の個別の要素を有するハードウェアにより、また、適切にプログラムされたコンピュータによって、実現可能である。複数の手段を列挙するシステムの請求項において、これら手段のうちの幾つかを、同一アイテムのコンピュータ読取可能ソフトウェア又はハードウェアによって具現化することができる。或る特定の方策が相互に異なる従属請求項に挙げられているという点は、これら方策の組み合わせが活用できないことを示すものではない。
【図１】
2010525858.tif 000009
【図２】
2010525858.tif 000010
【図３】
2010525858.tif 000011
【図４】
2010525858.tif 000012
【図５】
2010525858.tif 000013
【図６】
2010525858.tif 000014
【図７ａ】
2010525858.tif 000015
【図７ｂ】
2010525858.tif 000016
【図７ｃ】
2010525858.tif 000017
【図７ｄ】
2010525858.tif 000018
【図８】
2010525858.tif 000019
【図９】
2010525858.tif 000020
【国際調査報告】
2010525858.tif 000021
2010525858.tif 000022